(57)【要約】【目的】押しピンの壁面での操作が極めて容易になり、片手で容易に連続的にポスター等の掲示操作が可能であり、非使用の場合に押しピンの先端が外部に現れず、誤った押しつけ動作や落下の際にもけがの危険がない押しピンを提供する。【解決手段】筒状部と、筒状部に収容された弾性部材及びピン部とを有し、非使用時にピン部は弾性部材によって筒状部内に収容され、使用時に筒状部の下部に設けられた孔部からピン部先端が外部に突出する構造である押しピン。【選択図】  図１
2004249576.tif 000002
【特許請求の範囲】
【請求項１】
筒状部と、筒状部に収容された弾性部材及びピン部とを有し、非使用時にピン部は弾性部材によって筒状部内に収容され、使用時に筒状部の下部に設けられた孔部からピン部先端が外部に突出する構造である押しピン。
【請求項２】
ピン部は筒状部の上部に設けられた孔部を通じて押圧可能な請求項１記載の押しピン。
【請求項３】
筒状部と、筒状部に収容された弾性部材及びピン部とを有し、非使用時にピン部は弾性部材によって筒状部内に収容され、使用時に筒状部の上部に設けられた孔部を通じて押圧され、下部に設けられた孔部からピン部先端が外部に突出する構造である押しピンを内部に収納しうる空洞部と、該空洞部の一方の端部に設けられた前記筒状部の上部に設けられた孔部を通じて押しピンを押圧する押圧部と、該押圧部の対向部に設けられた開口部と、前記空洞部の他方の端部側に設けられ、押しピンを前記一方の端部側に移動させる弾性部材を有する、押しピンのカートリッジ。
【発明の詳細な説明】
【０００１】
【発明の属する技術分野】
本発明は、教育機関、宣伝広告企業、家庭等において、宣伝広告用ポスター等の印刷物の掲示、児童の絵画作品の展示その他の用途に広く使用される押しピンに関する。
【０００２】
【従来の技術】
従来、ポスターやその他の印刷物の展示、児童の絵画や書道の展示等の用途には画鋲と呼ばれるピンが使用されることが一般的である。画鋲は構造が簡単で安価であるため、広く使用されているが、展示物の展示に用いた後にこれを掲示板から取り去るのが容易ではなく、またこれが不用意に落下した場合には、針状部が上向きになって使用者や展示物を観覧する第三者がこれを踏みつける可能性があって危険である。
【０００３】
【発明が解決しようとする課題  】
従来の画鋲においては、いずれもピンが外部に露出しており、意図しない落下の際には、危険を伴う。このような危険を避けるためピンの先端がプラスチックの輪の中に収納されるものも考案されているが、ピンはやはり外部に露出しており、使用に際して手で対象に押しつけるようにするため、幼児などが手に取るなど誤った押しつけ動作によって傷を負うこともある。また作業はピンをひとつひとつ手に取って作業をせざるを得ず、連続的にピンを使用することはできない。この発明は、展示物の展示の際には、簡単に片手で連続的な使用ができ、展示が終了した際にはその撤去が容易であり、誤って落下した際にも、全く危険のない押しピン及びそのカートリッジを提供する。
【０００４】
【課題を解決するための手段  】
前記課題を解決するための手段は、筒状部と、筒状部に収容された弾性部材及びピン部とを有し、非使用時にピン部は弾性部材によって筒状部内に収容され、使用時に筒状部の下部に設けられた孔部からピン部先端が外部に突出する構造である押しピンであり、  ピン部は筒状部の上部に設けられた孔部を通じて押圧可能なもの、及び筒状部と、筒状部に収容された弾性部材及びピン部とを有し、非使用時にピン部は弾性部材によって筒状部内に収容され、使用時に筒状部の上部に設けられた孔部を通じて押圧され、下部に設けられた孔部からピン部先端が外部に突出する構造である押しピンを内部に収納しうる空洞部と、該空洞部の一方の端部に設けられた前記筒状部の上部に設けられた孔部を通じて押しピンを押圧する押圧部と、該押圧部の対向部に設けられた開口部と、前記空洞部の他方の端部側に設けられ、押しピンを前記一方の端部側に移動させる弾性部材を有する、押しピンのカートリッジを含む。
【０００５】
【発明の実施の形態】
本発明の実施の形態においての基本的な構造は、図１に示すとおり筒状部１と、筒状部に収容された弾性部材２及びピン部３とから成り、非使用時にピン部は弾性部材によって筒状部内に収容され、使用時には図２に示すとおり筒状部の下部に設けられた孔部４からピン部先端が外部に突出する構造である。弾性部材２はコイルスプリングなどのほか、例えばスポンジ状の合成樹脂を用いたり、合成樹脂によるバネ板など、ピン部を付勢するものであれば材料や構造は限定されない。筒状部やその他の部材の材料も金属に限らずプラスチックによる一体成型や木材など任意の材料を用いることができ、その形状も円筒に限らず、角形の筒などであってもよく、密閉された筒状でなくその一部が開口した枠状の形状も含む。
【０００６】図３は本発明の第１の実施例の構造を示す斜視図で、１は筒状部、２はコイルスプリング、３はピン部、４は筒状部の下部に設けられた孔部、５はその上部に設けられた孔部である。この例では筒状部は円筒状に形成されており、押しピンを使用しないときには、図１のようにピン部３のフランジ部と、筒状部の底部との間に設けられているスプリング２によって、そのピンの先端が筒状部内に収容されるようになっている。従って、この状態ではピンの尖った先端は全く外部に現れず、また押しピン全体を手にとってどの部分に触れても、ピン部３が動くことはないので、ピンの先端は外部に突出することがなく、極めて安全な状態が保たれている。
【０００７】この実施例の押しピンを使用するに際しては、押しピン全体を掲示部材を挟んだ状態で壁に当て、図２に示すように、筒状部１の上部に設けられた孔部５に外部から押入部材を挿入して押しピン３を下方に押し込むと、押しピン３の先端が筒状部材から突出し、壁に突き刺さって止着する。押入部材を抜き去ると、筒状部材の下端と壁の間で掲示部材が保持される。掲示が終了して押しピンを抜くときには、筒状部材に指をかけて引き抜くことで、容易に押しピンを取り去ることができる。押しピンが壁から抜き取られると、図１の状態に戻ってピンの先端は筒状部内部に収容される。仮に押しピンが掲示中に何らかの事情で落下することがあっても、同様にピンの先端は筒状部内部に収容される。このように、使用時にのみピン先端が筒状部材から突出しており、非使用時には常にピンが内部に収容されるので、その安全性は高い。
【０００８】図４は、実施例１の押しピンを連続使用するためのカートリッジの例を示す横断面図である。このカートリッジは、押しピン１１を内部に収納しうる空洞部１２を有するケーシング１０があり、該空洞部１２の右側の端部には、押圧用のロッド１５と、該ロッド１５を上方に付勢するスプリング１６とが設けられており、該ロッド１５はケーシング１０の右端部上方に設けられた開口部１８を通じて前記押しピン１１の筒状部の上部に設けられた孔部から押しピンを押圧することができる。押しピン１１がロッド１５によって押圧されると、押しピン１１は図２に示す状態となってそのピン先端が筒状部から突出する。更にロッド１５が押圧されると、押しピン１１全体がケーシング右側端部の下部に設けらえた開口部１７から外部に押し出される。
【０００９】該ロッド１５とスプリング１６より成る第１の押圧部の反対側の端部には、ロッド１４とこれを同図右側に付勢するスプリング１３から成る第２の押圧部が設けられており、空洞部１２内に収容されている押しピン１１を右側に付勢している。従って、前記第１の押圧部の動作によって押しピン１１が使用され外部に押し出されると、次の押しピンが前記押圧部１の位置に供給される。押しピン１１は、ケーシング上部に設けられた孔１９から複数供給することができる。
このようにして、使用者は片手で該カートリッジを保持し、他方の手で掲示物を保持し、カートリッジを持った手を掲示物に押しつけ、ロッド１５を押し込む動作だけで掲示物を確実に当該場所に止めることができ、更にそのまま連続的に他の部分にカートリッジを押しつけて同様の動作によって掲示物全体を壁面に止めることができる。このとき掲示物はカートリッジ底面に押さえられて平面性が保たれ、掲示物にしわがよったり膨らんで掲示されることも防げる。
【００１０】図５は、本発明の他の実施例を示す。この実施例では、押しピン自体に押し込み用のロッドに相当する部材２１を備えているので、前述したカートリッジを使用せずに、押しピン単体で係止操作をすることができる。また他の応用例としてプレートの四隅に本発明の押しピンを接着し、一体の掲示プレートとして壁に装着したり、押しピンのピン部に係合する小孔を設けた平板状のフックを設置し、該フックに小さな物を引っかけておくような利用方法にも応用することもできる。
【００１１】
【発明の効果】
本発明により、押しピンの先端が非使用時には常に筒状のカバーで覆われているので、非使用時や、落下や紛失の際に踏みつけても思わぬ怪我をする危険がなく、かつ本発明のカートリッジによって片手によって連続的な操作をすることができ、掲示等の操作が極めて容易で、掲示物が壁に密着して掲示でき、除去する際にも、器具を用いることなく簡単に抜き去ることができる。
【図面の簡単な説明】
【図１】本発明の実施形態の構造を示す非使用時の押しピンの断面図
【図２】本発明の実施形態の構造を示す使用時の押しピンの断面図
【図３】本発明の実施例の押しピンの斜視図
【図４】本発明の押しピンのカートリッジの実施例の断面図
【図５】他の実施例の押しピンの断面図（非使用時）
【図６】他の実施例の押しピンの断面図（使用時）
【符号の説明】
１は筒状部、
２は弾性部材（スプリング）
３はピン部
４は筒状部下部の孔
５は筒状部上部の孔
１０はケーシング
１１は押しピン
１２は空洞部
１３は弾性部材（スプリング）
１４はロッド
１５はロッド
１６は弾性部材（スプリング）
１７は開口部
１８は開口部
１９は開口部（供給口）
２１は押圧部材
【図１】
2004249576.tif 000003
【図２】
2004249576.tif 000004
【図３】
2004249576.tif 000005
【図４】
2004249576.tif 000006
【図５】
2004249576.tif 000007
【図６】
2004249576.tif 000008